【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
照明装置であって、
少なくとも１つの照明要素と、
少なくとも１つの電子部品と、
回路基板アセンブリであって、前記回路基板アセンブリが、少なくとも１つの基板と、回路基板と、少なくとも１つの第１の回路、及び少なくとも１つの第２の回路を備え、前記少なくとも１つの第１の回路が前記基板に設けられ、前記少なくとも１つの照明要素が前記基板に取り付けられ、前記少なくとも１つの回路と電気的に接続され、前記少なくとも１つの第２の回路が前記回路基板に設けられ、前記少なくとも１つの電子部品が前記回路基板に取り付けられ、前記少なくとも１つの第２の回路と電気的に接続され、前記少なくとも１つの第１の回路が前記少なくとも１つの第２の回路と電気的に接続される、回路基板アセンブリと、
を備える、照明装置。
【請求項２】
前記基板が、おもて面及びその前記おもて面と対向する裏面を有し、前記第１の回路及び前記照明要素のそれぞれが、前記基板の前記おもて面に取り付けられ、前記回路基板が、おもて面及びその前記おもて面と対向する裏面を有し、前記第２の回路が、前記回路基板の前記おもて面と前記裏面の両方に取り付けられ、前記電子部品の一部分が前記回路基板の前記おもて面に設けられ、前記電子部品の前記残りが、前記回路基板の前記裏面に取り付けられる、請求項１に記載の照明装置。
【請求項３】
前記基板がそこに形成されたスルーホールを有し、前記回路基板が前記スルーホールに保持される、請求項２に記載の照明装置。
【請求項４】
前記回路基板アセンブリが、１つ以上の結合アームをさらに備え、前記結合アームのそれぞれが、前記回路基板から一体的に伸ばされ、前記結合アームのうちの少なくとも１つが前記基板に接続される、請求項３に記載の照明装置。
【請求項５】
前記回路基板アセンブリが、１つ以上の結合アームをさらに備え、前記結合アームのそれぞれが、前記基板から一体的に伸ばされ、前記結合アームのうちの少なくとも１つが前記回路基板に接続される、請求項３に記載の照明装置。
【請求項６】
前記回路基板アセンブリが、１つ以上の結合アームをさらに備え、前記結合アームのうちの少なくとも１つが、前記回路基板から一体的に伸ばされ、前記結合アームの前記残りが、前記基板から一体的に伸ばされ、前記回路基板から一体的に伸ばされる、前記結合アームのうちの少なくとも１つが前記回路基板に接続され、前記基板から一体的に伸ばされる、前記結合アームのうちの少なくとも１つが前記回路基板に接続される、請求項３に記載の照明装置。
【請求項７】
前記結合アームのそれぞれが、第１の接続部材及び第２の接続部材を備え、前記第１の接続部材が、前記回路基板から前記基板に向かって一体的に伸ばされ、前記第２の接続部材の２つの端部がそれぞれ、前記第１の接続部材及び前記基板に固着される、請求項４に記載の照明装置。
【請求項８】
前記第２の回路が、前記第１の回路及び前記第２の回路を電気的に接続するために前記第１の接続部材に従った方法で伸ばされる、請求項４に記載の照明装置。
【請求項９】
前記基板及び前記回路基板が、その間に断熱部分を画定する、請求項１乃至８の何れか一項に記載の照明装置。
【請求項１０】
前記断熱部分が断熱長穴である、請求項９に記載の照明装置。
【請求項１１】
前記断熱部分が、前記基板の内側端と前記回路基板の外側端との間に一体的に形成される、請求項９に記載の照明装置。
【請求項１２】
照明装置であって、
照明アセンブリと、
制御アセンブリであって、前記照明アセンブリが前記制御アセンブリと電気的に接続され、前記照明アセンブリが基板接続側を有し、前記制御アセンブリが、前記照明アセンブリの前記基板接続側に対応する回路基板接続側を有し、前記照明アセンブリの前記基板接
続側及び前記の前記回路基板接続側が、前記照明アセンブリによって生じる熱が前記制御アセンブリに伝導されるのを防ぐために不連続に配置される、制御アセンブリと、
を備える、照明装置。
【請求項１３】
前記照明アセンブリがスルーホールを有し、前記制御アセンブリが、前記照明アセンブリの前記基板接続側が前記制御アセンブリの前記回路基板接続側と位置合わせされ、前記照明アセンブリの前記基板接続側及び前記の前記回路基板接続側が不連続に配置される位置で前記スルーホールに保持される、請求項１２に記載の照明装置。
【請求項１４】
前記照明アセンブリが、少なくとも１つの照明要素と、少なくとも１つの基板と、少なくとも１つの第１の回路を備え、前記少なくとも１つの第１の回路及び少なくとも１つの照明要素が前記基板に取り付けられ、前記少なくとも１つの第１の回路が前記少なくとも１つの照明装置と電気的に接続され、前記スルーホールが前記基板の中間部分で形成され、前記基板が、前記照明アセンブリの前記基板接続側をその内側に画定し、前記制御アセンブリが、回路基板及び少なくとも１つの第２の回路を備え、前記少なくとも１つの第２の回路が前記回路基板に取り付けられ、前記回路基板が、前記制御アセンブリの前記回路基板接続側をその外側に画定し、前記制御アセンブリの前記基板接続側及び前記制御アセンブリの前記回路基板接続側が不連続に配置され、前記少なくとも１つの第１の回路が、前記少なくとも１つの第２の回路と電気的に接続されるように、前記回路基板が前記スルーホールに保持される、請求項１３に記載の照明装置。
【請求項１５】
前記基板が、おもて面及びその前記おもて面と対向する裏面を有し、前記第１の回路及び前記照明要素が、前記基板の前記おもて面に取り付けられ、前記回路基板が、おもて面及びその前記おもて面と対向する裏面を有し、２つ以上の電子部品を備え、前記第２の回路が、前記回路基板の前記おもて面と前記裏面の両方に取り付けられ、前記電子部品のうちの少なくとも１つが、前記回路基板の前記おもて面に設けられ、前記電子部品の前記残りが、前記回路基板の前記裏面に取り付けられ、前記電子部品が前記第２の回路と電気的に接続される、請求項１４に記載の照明装置。
【請求項１６】
前記基板及び前記回路基板が、前記基板の内側端と前記回路基板の外側端との間に形成された少なくとも１つの断熱長穴をさらに画定し、これにより前記基板の内側端及び前記回路基板の前記外側端が不連続に配置される、請求項１４に記載の照明装置。
【請求項１７】
前記基板及び前記回路基板が、前記基板の内側端と前記回路基板の外側端との間に形成された少なくとも１つの断熱長穴をさらに画定し、これにより前記基板の内側端及び前記回路基板の前記外側端が不連続に配置される、請求項１５に記載の照明装置。
【請求項１８】
前記照明装置が、１つ以上の結合アームをさらに備え、前記結合アームのそれぞれの２つの端部が、前記基板の前記内側端と前記回路基板の前記外側端との間に前記断熱長穴を形成するために、前記基板の前記内側端及び前記回路基板の前記外側端に固着される、請求項１７に記載の照明装置。
【請求項１９】
前記結合アームのそれぞれが、第１の接続部材及び第２の接続部材を備え、前記第１の接続部材が前記基板の前記内側端から前記回路基板の前記外側端に一体的に向かって伸ばされ、前記第２の接続部材の２つの端部が、前記第１の接続部材及び前記基板の遊離端に固着される、請求項１８に記載の照明装置。
【請求項２０】
前記第２の回路が、前記結合アームの前記第１の接続部材に従った方向で伸ばされ、前記第２の接続部材の前記２つの端部が、の前記第１の接続部材の前記遊離端と前記基板に固着され、前記第１の回路及び前記第２の回路が互いと導通する、請求項１９に記載の照明装置。
【請求項２１】
前記基板が、前記スルーホールと連通する１つ以上の結合切欠きをさらに備え、前記第１の接続部材の前記遊離端のそれぞれが、前記それぞれの結合切欠きの中に伸ばされ、前記それぞれの結合切欠きに保持される、請求項２０に記載の照明装置。
【請求項２２】
前記照明アセンブリが、前記基板と保護カバーとの間に前記第１の回路を保持するように、前記基板上で重ね合わされる前記保護層をさらに備える、請求項１４乃至２１の何れか一項に記載の照明装置。
【請求項２３】
照明装置であって、
少なくとも１つの照明要素と、
導電部であって、前記導電部が、少なくとも１つの基板及び少なくとも１つの第１の回路を備え、取付け部分を有し、前記基板が、おもて面及びその前記おもて面と対向する裏面を有し、前記第１の回路及び前記照明要素が、前記基板の前記おもて面に取り付けられ、前記照明要素が、前記第１の回路と電気的に接続される、前記導電部と、
回路基板と、少なくとも１つの第２の回路と、少なくとも１つの電子部品とを備える制御部であって、前記回路基板が、おもて面及びその前記おもて面と対向する裏面を有し、前記第２の回路が、前記回路基板の前記おもて面と前記裏面の両方に取り付けられ、前記電子部品の一部分が、前記回路の前記おもて面に設けられ、前記電子部品の前記残りが、前記回路基板の前記裏面に取り付けられ、前記第１の回路及び前記第２の回路が、互いと電気的に接続される、前記制御部と、
を備える、照明装置。
【請求項２４】
前記導電部の前記取付け部がスルーホールであり、前記回路基板が前記スルーホールに保持される、請求項２３に記載の照明装置。
【請求項２５】
前記スルーホールが前記基板の中間部分に形成される、請求項２４に記載の照明装置。
【請求項２６】
前記照明装置が、前記基板と前記回路基板との間に形成された少なくとも１つの断熱長穴をさらに有する、請求項２４又は２５に記載の照明装置。
【請求項２７】
前記制御部が、１つ以上の結合アームをさらに備え、前記結合アームが、前記導電部の前記スルーホールに前記回路基板を保持するために、前記回路基板から前記基板に間隔をおいて伸ばされる、請求項２６に記載の照明装置。
【請求項２８】
前記制御部が、１つ以上の結合アームをさらに備え、前記結合アームが、前記導電部の前記スルーホールに前記回路基板を保持するために前記基板から前記回路基板に間隔をおいて伸ばされる、請求項２６に記載の照明装置。
【請求項２９】
前記結合アームのそれぞれが、第１の接続部材及び第２の接続部材を備え、前記第１の接続部材が、前記回路基板から前記基板に向かって伸ばされ、前記第２の接続部材が、前記第１の接続部材及び前記基板上で固着される、請求項２７に記載の照明装置。
【請求項３０】
前記第２の接続部材が、それぞれ前記第１の回路及び前記第の回路と電気的に接続され、これにより前記第１の回路及び前記第２の回路が、前記第２の接続部材によって互いと導通する、請求項２９に記載の照明装置。
【請求項３１】
前記第２の回路が、前記第１の接続部材の前記伸長方向に従った方向で伸ばされ、前記第２の接続部材が、前記第１の接続部材及び前記基板上で固着され、前記第１の回路及び前記第２の回路が、同時に前記第２の接続部材によって互いと導通する、請求項２７に記載の照明装置。
【請求項３２】
前記基板が、それぞれ前記断熱長穴と連通する１つ以上の結合切欠きを有し、前記結合アームのそれぞれの前記第１の接続部材の前記遊離端が、前記それぞれの結合切欠きに保持される、請求項２９、３０又は３１に記載の照明装置。
【請求項３３】
前記基板及び前記回路基板が異なる材料から作られる、請求項２３乃至３２の何れか一項に記載の照明装置。
【請求項３４】
前記導電部が、前記基板と保護層との間に前記第１の回路を保持するように、前記基板の前記おもて面に重ね合わされて設けられた前記保護層をさらに備える、請求項２３乃至３２の何れか一項に記載の照明装置。